(57)【要約】【課題】転写可能な美容部材を提供する。【解決手段】本発明は、転写可能な美容部材に関するものであって、本発明の転写可能な美容部材は、インクと媒介体とを含み、デザインが施され、デザインが身体に転写されるデザイン層と、デザイン層の一面に備えられて、デザイン層が身体に転写された後で除去される離型層と、デザイン層の他面に備えられて、デザイン層が身体に転写される前に除去される保護フィルムと、を含む。【選択図】図１
2015029907.tif 000002
【特許請求の範囲】
【請求項１】
インクと媒介体とを含み、デザインが施され、前記デザインが身体に転写されるデザイン層と、
前記デザイン層の一面に備えられて、前記デザイン層が身体に転写された後で除去される離型層と、
前記デザイン層と前記離型層との間にコーティングされるか、前記デザイン層に添加され、合成樹脂粒子を含む転写誘導剤と、
前記デザイン層の他面に備えられて、前記デザイン層が身体に転写される前に除去される保護フィルムと、
を含む転写可能な美容部材。
【請求項２】
前記デザイン層には、粘着成分が添加される請求項１に記載の転写可能な美容部材。
【請求項３】
前記デザイン層と前記保護フィルムとの間に形成された粘着層をさらに含む請求項１に記載の転写可能な美容部材。
【請求項４】
前記転写可能な美容部材は、平らに形成されるか、屈曲を有するように立体的に形成される請求項１に記載の転写可能な美容部材。
【請求項５】
前記デザイン層は、身体のうち、目、唇、指爪、または足爪を含む皮膚に転写される請求項１に記載の転写可能な美容部材。
【請求項６】
前記デザイン層は、シルクスクリーン印刷、オフセット印刷、モールド印刷、またはグラビア印刷で形成される請求項１に記載の転写可能な美容部材。
【請求項７】
前記合成樹脂粒子は、シリカ、ガラス、アクリル、またはウレタンを含む請求項１に記載の転写可能な美容部材。
【請求項８】
前記転写誘導剤は、前記合成樹脂粒子を含むＵＶ塗料、溶剤型塗料、または水性塗料で形成された請求項１に記載の転写可能な美容部材。
【請求項９】
前記離型層は、一端から外側に突出するように延設された取っ手を含む請求項１に記載の転写可能な美容部材。
【請求項１０】
前記デザイン層は、多層に形成され、
ベース層と、
前記ベース層の両面にそれぞれ形成された第１文様層と第２文様層と、を含み、
前記第１文様層と前記第２文様層は、互いに対応する文様が示された請求項１に記載の転写可能な美容部材。
【請求項１１】
前記第１文様層と前記第２文様層は、互いに対応する位置に配置される請求項１０に記載の転写可能な美容部材。
【請求項１２】
前記デザイン層には、グリッター、ブリング、スパンコール、コンフェッティ、またはパールを含む光反射性粒子が添加される請求項１に記載の転写可能な美容部材。
【請求項１３】
前記離型層は、シリコン離型剤またはフッ素離型剤が塗布されたポリエチレンテレフタレート（ＰＥＴ）フィルムまたはポリエチレン（ＰＥ）フィルムで形成された請求項１に記載の転写可能な美容部材。
【請求項１４】
前記離型層には、紙、ポリエチレン、エチレン酢酸ビニル、ポリプロピレン、ラテックス、ウレタン、またはフォームで形成された弾性層が形成された請求項１３に記載の転写可能な美容部材。
【請求項１５】
前記離型層は、紙、ポリエチレン、エチレン酢酸ビニル、ポリプロピレン、ラテックス、ウレタン、またはフォームで形成された請求項１に記載の転写可能な美容部材。
【請求項１６】
前記離型層は、長手方向両端間の一地点を基準に切り取り線が形成された請求項１に記載の転写可能な美容部材。
【請求項１７】
前記離型層には、前記デザイン層と対応する文様が示された追加文様層が形成される請求項１に記載の転写可能な美容部材。
【発明の詳細な説明】
【技術分野】
【０００１】
本発明は、転写可能な美容部材に関する。
【背景技術】
【０００２】
一般的に、アイライナーは、瞼に線を引いて目の外郭線を鮮明にする役割を行うものであって、はっきりした目つきを表現しようとするときに使い、リップスティックは、唇に所望の色相を適用しようとするときに使い、マニキュアは、指爪／足爪に所望の色相やデザインを適用しようとするときに使う。このようなアイライナー、リップスティック、マニキュアなどの美容部材は、目、唇、指爪／足爪のデザインが顔の形態と調和させるだけではなく、ユーザの印象を変化させようとするときに活用することができる。
【０００３】
従来、アイペンシル（下記特許文献１参照）、紅、液相溶液などを用いて、アイライン線を描くか、唇や指爪／足爪に塗布することによって、ユーザが、身体に所望の色相とデザインを直接適用した。しかし、このような色相とデザインは、ほとんど曲面に形成された身体に適用されて、所望の色相やデザインを円滑に描きにくい。そして、マニキュアを利用する場合、右利きなのか左利きなのかによって、両手の指爪に塗布されるマニキュアの状態が均一ではない。また、アイライナーを利用する場合、目を閉じた状態で化粧しなければならないために、片目のみ長期間閉じにくく、未熟練者が直接自分の目にアイラインを描きにくい。そして、アイライナー、リップスティック、マニキュアなどを用いて化粧しても、メイクアップアーティストなど熟練者ではない一般人の場合、多様なデザインを精巧に適用しにくい。例えば、目つきに沿ってアイラインを描いて、元の目つきをはっきりする以外に、アイラインの多様な表現が不可能であり、指爪／足爪への多様なデザインの具現に難点があった。したがって、従来のアイライナー、リップスティック、マニキュアなどは、デザインを身体に適用するために、長時間かかるだけではなく、長期間化粧しても、所望のデザインで表現しにくい問題点が存在する。
【先行技術文献】
【特許文献】
【０００４】
【特許文献１】韓国実用新案第２０−０２７０３６４号明細書
【発明の概要】
【発明が解決しようとする課題】
【０００５】
本発明は、前述した従来技術の問題点を解決するためのものであって、本発明の一側面は、デザイン層を身体に転写することによって、アイライナー、リップスティック、マニキュアなど別途の美容部材なしにも、所望の色相やデザインを身体に適用することができる転写可能な美容部材を提供することにある。
【課題を解決するための手段】
【０００６】
本発明の実施形態の転写可能な美容部材は、インクと媒介体（Ｖｅｈｉｃｌｅ）とを含み、デザインが施され、前記デザインが身体に転写されるデザイン層と、前記デザイン層の一面に備えられて、前記デザイン層が身体に転写された後で除去される離型層と、前記デザイン層と前記離型層との間にコーティングされるか、前記デザイン層に添加され、合成樹脂粒子を含む転写誘導剤と、前記デザイン層の他面に備えられて、前記デザイン層が身体に転写される前に除去される保護フィルムと、を含む。
【０００７】
また、本発明の実施形態の転写可能な美容部材において、前記デザイン層には、粘着成分が添加される。
【０００８】
また、本発明の実施形態の転写可能な美容部材において、前記デザイン層と前記保護フィルムとの間に形成された粘着層をさらに含む。
【０００９】
また、本発明の実施形態の転写可能な美容部材において、前記転写可能な美容部材は、平らに形成されるか、屈曲を有するように立体的に形成される。
【００１０】
また、本発明の実施形態の転写可能な美容部材において、前記デザイン層は、身体のうち、目、唇、指爪、または足爪を含む皮膚に転写される。
【００１１】
また、本発明の実施形態の転写可能な美容部材において、前記デザイン層は、シルクスクリーン（Ｓｉｌｋ  Ｓｃｒｅｅｎ）印刷、オフセット（Ｏｆｆｓｅｔ）印刷、モールド（Ｍｏｌｄ）印刷、またはグラビア（Ｇｒａｖｕｒｅ）印刷で形成される。
【００１２】
また、本発明の実施形態の転写可能な美容部材において、前記合成樹脂粒子は、シリカ（ｓｉｌｉｃａ）、ガラス（ｇｌａｓｓ）、アクリル（ａｃｒｙｌｉｃ）、またはウレタン（ｕｒｅｔｈａｎｅ）を含む。
【００１３】
また、本発明の実施形態の転写可能な美容部材において、前記転写誘導剤は、前記合成樹脂粒子を含むＵＶ塗料、溶剤型塗料、または水性塗料で形成される。
【００１４】
また、本発明の実施形態の転写可能な美容部材において、前記離型層は、一端から外側に突出するように延設された取っ手を含む。
【００１５】
また、本発明の実施形態の転写可能な美容部材において、前記デザイン層は、多層に形成され、ベース層と、前記ベース層の両面にそれぞれ形成された第１文様層と第２文様層と、を含み、前記第１文様層と前記第２文様層は、互いに対応する文様が示される。
【００１６】
また、本発明の実施形態の転写可能な美容部材において、前記第１文様層と前記第２文様層は、互いに対応する位置に配置される。
【００１７】
また、本発明の実施形態の転写可能な美容部材において、前記デザイン層には、グリッター（ｇｌｉｔｔｅｒ）、ブリング（ｂｌｉｎｇ）、スパンコール（ｓｐａｎｇｌｅ）、コンフェッティ（ｃｏｎｆｅｔｔｉ）、またはパール（ｐｅａｒｌ）を含む光反射性粒子が添加される。
【００１８】
また、本発明の実施形態の転写可能な美容部材において、前記離型層は、シリコン離型剤またはフッ素離型剤が塗布されたポリエチレンテレフタレート（ｐｏｌｙｅｔｈｙｌｅｎｅｔｅｒｅｐｈｔｈａｌａｔｅ、ＰＥＴ）フィルムまたはポリエチレン（ｐｏｌｙｅｔｈｙｌｅｎｅ、ＰＥ）フィルムで形成される。
【００１９】
また、本発明の実施形態の転写可能な美容部材において、前記離型層には、紙、ポリエチレン、エチレン酢酸ビニル（ｅｔｈｙｌｅｎｅ  ｖｉｎｙｌ  ａｃｅｔａｔｅ）、ポリプロピレン（ｐｏｌｙｐｒｏｐｙｌｅｎｅ）、ラテックス（ｌａｔｅｘ）、ウレタン、またはフォーム（ｆｏａｍ）で形成された弾性層が形成される。
【００２０】
また、本発明の実施形態の転写可能な美容部材において、前記離型層は、紙、ポリエチレン、エチレン酢酸ビニル、ポリプロピレン、ラテックス、ウレタン、またはフォームで形成される。
【００２１】
また、本発明の実施形態の転写可能な美容部材において、前記離型層は、長手方向両端間の一地点を基準に切り取り線が形成される。
【００２２】
また、本発明の実施形態の転写可能な美容部材において、前記離型層には、前記デザイン層と対応する文様が示された追加文様層が形成される。
【００２３】
本発明の特徴及び利点は、添付図面に基づいた次の詳細な説明でさらに明らかになる。
【００２４】
これに先立って、本明細書及び特許請求の範囲に使われた用語や単語は、通常の、辞書的な意味として解釈されてはならず、発明者が自分の発明を最も最善の方法で説明するために、用語の概念を適切に定義できるという原則に基づいて、本発明の技術的思想に符合する意味と概念として解釈しなければならない。
【発明の効果】
【００２５】
本発明によれば、デザイン層を身体に転写することによって、アイライナー、リップスティック、マニキュアなど別途の美容部材なしでも、短時間内に多様な色相やデザインを正確に身体に適用できるという長所がある。
【００２６】
また、本発明によれば、合成樹脂粒子を含む転写誘導剤を備えることによって、デザイン層を離型層に印刷することが容易であり、離型層からデザイン層が分離されやすくなって、効果的に身体に転写させることができる。
【００２７】
また、本発明によれば、離型層に弾性が相対的に大きな弾性層を形成することによって、転写時に身体の屈曲に対応できるという長所がある。
【００２８】
また、本発明によれば、デザイン層の媒介体は、疎水性を有するので、転写されたデザイン層が水によって容易に消されず、媒介体は、親油性を有するので、オイル（Ｏｉｌ）で転写されたデザイン層を容易に消すことができる。
【００２９】
また、本発明によれば、転写可能な美容部材が、屈曲を有するように立体的に形成されることによって、ほとんど曲面である人体に容易に転写できるという長所がある。
【００３０】
また、本発明によれば、デザイン層が、ベース層とベース層の両面に互いに対応する文様が示された第１、２文様層を含むことによって、転写時にユーザが認知する文様と転写の後に他人に見える文様とが一致する。
【００３１】
また、本発明によれば、ユーザの目にアイラインとアイシャドウとを一回で適用できるだけではなく、グラデーション（Ｇｒａｄａｔｉｏｎ、漸移）など難しいメイクアップも容易に適用できるという長所がある。
【図面の簡単な説明】
【００３２】
【図１】本発明の実施形態の転写可能な美容部材の底面斜視図である。
【図２】本発明の実施形態の転写可能な美容部材の断面図である。
【図３】本発明の実施形態の転写可能な美容部材の断面図である。
【図４Ａ】図１に示された転写可能な美容部材の平面図である。
【図４Ｂ】図１に示された転写可能な美容部材の平面図である。
【図４Ｃ】図１に示された転写可能な美容部材の平面図である。
【図５】本発明の実施形態の転写可能な美容部材の変形例を示す断面図である。
【図６Ａ】本発明の実施形態の転写可能な美容部材の転写過程を示す斜視図である。
【図６Ｂ】本発明の実施形態の転写可能な美容部材の転写過程を示す斜視図である。
【図７Ａ】本発明の実施形態の転写可能な美容部材の転写過程を示す斜視図である。
【図７Ｂ】本発明の実施形態の転写可能な美容部材の転写過程を示す斜視図である。
【図８Ａ】本発明の実施形態の転写可能な美容部材の転写過程を示す斜視図である。
【図８Ｂ】本発明の実施形態の転写可能な美容部材の転写過程を示す斜視図である。
【図９】本発明の他の実施形態の転写可能な美容部材の断面図である。
【発明を実施するための形態】
【００３３】
本発明の目的、特定の長所及び新規な特徴は、添付図面と関連する以下の詳細な説明と望ましい実施形態とからさらに明らかになる。本明細書で、各図面の構成要素に参照番号を付け加えるに当って、同じ構成要素に限っては、たとえ他の図面上に表示されていても、可能な限り同じ番号を付することに留意しなければならない。また、“第１”、“第２”、“一面”、“他面”などの用語は、１つの構成要素を他の構成要素から区別するために使われるものであって、構成要素が、前記用語によって制限されるものではない。以下、本発明を説明するに当って、本発明の要旨を不明にする恐れがある関連した公知技術についての詳細な説明は省略する。
【００３４】
以下、添付図面を参照して、本発明の望ましい実施形態を詳しく説明する。
【００３５】
図１は、本発明の実施形態の転写可能な美容部材の底面斜視図であり、図２及び図３は、本発明の実施形態の転写可能な美容部材の断面図であり、図４Ａないし図４Ｃは、図１に示された転写可能な美容部材の平面図である。
【００３６】
図１ないし図４に示したように、本実施形態の転写可能な美容部材１００は、インクと媒介体とを含み、デザインが示されて、デザインが身体に転写されるデザイン層１１０と、デザイン層１１０の一面に備えられて、デザイン層１００が身体２００に転写された後で除去される離型層１２０と、デザイン層１１０と離型層１２０との間にコーティングされるか、デザイン層１１０に添加され、合成樹脂粒子１７５を含む転写誘導剤１７０と、デザイン層１１０の他面に備えられて、デザイン層１１０が身体２００に転写される前に除去される保護フィルム１３０と、を含む。
【００３７】
前記デザイン層１１０は、デザインが示されて、身体に転写されるものであって、インクと媒介体とを含む。ここで、インクは、色相やデザインを付与するものであって、例えば、人体に安全な顔料（Ｐｉｇｍｅｎｔ）でＣＦＲ（Ｃｏｄｅ  ｏｆ  Ｆｅｄｅｒａｌ  Ｒｅｇｕｌａｔｉｏｎｓ）２１に規定された成分であり得る。また、媒介体は、インクを運搬して固着させる役割を行うものである。この際、媒介体は、疎水性を有するので、転写されたデザイン層１１０が、水に容易に消されない防水効果を具現することができる。また、媒介体は、親油性なので、必要に応じて転写されたデザイン層１１０をオイルで容易に消すことができる。一方、このようなデザイン層１１０を利用するので、多様なデザインを正確に人体に転写することができる。例えば、ユーザの目にアイラインとアイシャドウとを一回で適用し、グラデーション（漸移）など難しいメイクアップも容易に適用することができる。また、デザイン層１１０を身体に転写した後、追加的なメイクアップも可能である。
【００３８】
一方、デザイン層１１０を形成する方法は、特に限定されるものではないが、シルクスクリーン印刷、オフセット印刷、モールド印刷、グラビア印刷、またはその他の印刷で形成されうる。この際、デザイン層１１０は、シルクスクリーン印刷を数回繰り返して多層に形成されうる。すなわち、多様な色相とデザインとをシルクスクリーン印刷で数回繰り返して具現することができる。但し、このようにデザイン層１１０が多層に形成されれば、デザイン層１１０の一面方向から見える文様とデザイン層１１０の他面（一面の反対面）方向から見える文様とが異なりうる。したがって、転写時にユーザが認知する文様と、転写後に他人に見える文様とが異なる恐れがある。しかし、図２の拡大図に示したように、デザイン層１１０は、ベース層１１３と第１、２文様層１１５、１１７とを含むことによって、このような憂慮を解決することができる。具体的に、ベース層１１３の両面に第１文様層１１５と第２文様層１１７とが形成されうる。この際、第１文様層１１５と第２文様層１１７は、互いに対応する文様が示され、互いに対応する位置に配置される。したがって、デザイン層１１０の一面方向から見える文様（第１文様層１１５）とデザイン層１１０の他面方向から見える文様（第２文様層１１７）とが同一なので、転写時にユーザが認知する文様と、転写後に他人に見える文様とが一致することができる。但し、“第１文様層１１５と第２文様層１１７との文様や位置が対応する”と言う意味は、必ずしも数学的に同一でなければならないものではなく、印刷工程上の公差、変色などを含んだ概念である。また、本発明の権利範囲が、必ずしも“第１文様層１１５と第２文様層１１７との文様や位置が対応するもの”に制限されるものではない。例えば、デザイン層１１０を多層に形成しても、各層の文様を重ならないように印刷することによって、転写時にユーザが認知する文様と、転写後に他人に見える文様とが異なることを防止することができる。
【００３９】
さらに、デザイン層１１０には、グリッター、ブリング、スパンコール、コンフェッティ、またはパールを含む光反射性粒子１５０が添加されうる。このような光反射性粒子１５０は、光輝性質を有するので、デザイン層１１０に添加されれば、きらめく性質を有した宝石のような感じを具現することができる。この際、光反射性粒子１５０は、散布（自由落下）など多様な方法を通じてデザイン層１１０に添加されることによって、所望の形状やサイズを具現することができる。
【００４０】
また、図２に示したように、デザイン層１１０には、粘着成分１１９が添加されうる。ここで、粘着成分１１９は、デザイン層１１０を身体に粘着させる役割を行うものであって、皮膚−親和的成分なので、身体に無害である。デザイン層１１０に粘着成分１１９が添加されれば、別途の粘着層が不要である。但し、デザイン層１１０に粘着成分１１９が、必ずしも添加されねばならないものではなく、図３に示したように、別途の粘着層１４０が形成されうる。ここで、粘着層１４０は、デザイン層１１０と保護フィルム１３０との間に形成されうる。この際、粘着層１４０は、前述した粘着成分１１９と同様に、デザイン層１１０を身体に粘着させる役割を行うものであって、皮膚−親和的成分なので、身体に無害である。
【００４１】
前記離型層１２０は、デザイン層１１０が身体に転写された後で除去されるものであって、デザイン層１１０の一面に備えられる。ここで、離型層１２０は、シリコン離型剤またはフッ素離型剤が塗布されたポリエチレンテレフタレート（ＰＥＴ）フィルムまたはポリエチレン（ＰＥ）フィルムで形成されうる。このような離型層１２０には、紙、ポリエチレン、エチレン酢酸ビニル、ポリプロピレン、ラテックス、ウレタン、またはフォームのような合成または天然高分子の構造を含んだ弾性層１８０が形成されうる。このような弾性層１８０は、弾性が相対的に大きいので、転写時に身体の屈曲に対応しうる。但し、離型層１２０と弾性層１８０は、必ずしも別途の層に形成されねばならないものではなく、離型層１２０自体が相対的に弾性が大きな紙、ポリエチレン、エチレン酢酸ビニル、ポリプロピレン、ラテックス、ウレタン、またはフォームなどで形成されうる。
【００４２】
一方、離型層１２０をさらに容易に分離するために、図４Ａないし図４Ｂに示したように、離型層１２０の長手方向両端間の一地点を基準に切り取り線１６０が形成されうる。この際、切り取り線１６０は、離型層１２０の長手方向に垂直に延び、直線（図４Ａ参照）またはジグザグ（Ｚｉａｚａｇ、図４Ｂ参照）に延びられる。このような切り取り線１６０によって、ユーザは、両側に配された２つの離型層１２０を容易に除去することができる。
【００４３】
また、図４Ｃに示したように、離型層１２０には、取っ手１２０ｃが形成されうる。具体的に、離型層１２０は、一端１２０ａの面積が他端１２０ｂの面積に比べて広く、取っ手１２０ｃは、離型層１２０の一端１２０ａから外側に突出するように延設されうる。したがって、ユーザは、取っ手１２０ｃを取って身体の正確な位置にデザイン層１１０を転写させることができる。
【００４４】
前記転写誘導剤１７０（図１ないし図３参照）は、デザイン層１１０と離型層１２０との間にコーティングされうる。ここで、転写誘導剤１７０は、合成樹脂粒子１７５を含むＵＶ塗料、溶剤型塗料、または水性塗料で形成されうる。この際、合成樹脂粒子１７５は、ビーズ（ｂｅａｄｓ）の一種であって、シリカ、ガラス、アクリル、ウレタン、またはこれらの２以上の共重合体またはブレンドで形成されうる。このように、転写誘導剤１７０は、合成樹脂粒子１７５を含むので、デザイン層１１０を離型層１２０に印刷することが容易であり、デザイン層１１０が離型層１２０から分離されやすくなって、効果的に身体に転写させることができる。但し、合成樹脂粒子１７５を含む転写誘導剤１７０は、必ずしもデザイン層１１０と離型層１２０との間にコーティングされる形態に形成されねばならないものではなく、デザイン層１１０に添加されても良い。
【００４５】
前記保護フィルム１３０は、デザイン層１１０が身体に転写される前に除去されるものであって、デザイン層１１０の他面（一面の反対面）に備えられる。ここで、保護フィルム１３０は、デザイン層１１０を保護する役割を果たす。また、保護フィルム１３０の成分は、特に限定されるものではないが、ＰＥＴ、ＯＰＰ、ＰＰ、ＰＳ、ＰＥ、ＰＶＣ、ＰＶＤＣ、ＥＶＡ、ＰＵ、ＴＰＵ、ポリアミド、ポリエステル、ＥＶＡ、アクリルのうち少なくとも１種以上のブレンドまたは共重合体で形成されうる。
【００４６】
一方、デザイン層１１０、離型層１２０、及びデザイン層１１０などを含む転写可能な美容部材１００は、図１ないし図４に示したように、基本的に平らに形成されうるが、必ずしもこれに限定されるものではない。すなわち、転写可能な美容部材１００は、屈曲を有するように立体的に形成されて、ほとんど曲面に形成された身体にしわが寄らず、円滑に転写されうる。例えば、図５に示したように、転写可能な美容部材１００を目尻２００に転写する場合、転写可能な美容部材１００は、目尻２００の曲率に対応する屈曲を有するように形成されて、容易に転写することができる。
【００４７】
図６ないし図８は、本発明の実施形態の転写可能な美容部材の転写過程を示す斜視図であって、それを参照して、本実施形態の転写可能な美容部材１００を身体２００に転写する過程を説明する。
【００４８】
まず、図６Ａないし図６Ｂに示したように、転写可能な美容部材１００から保護フィルム１３０を除去する。保護フィルム１３０を除去すれば、粘着成分１１９が添加されたデザイン層１１０が露出される（図６Ａ参照）。但し、別途の粘着層１４０が備えられた場合、保護フィルム１３０を除去すれば、粘着層１４０が露出される（図６Ｂ参照）。
【００４９】
次に、図７Ａないし図７Ｂに示したように、転写可能な美容部材１００を身体２００（例えば、目尻）に密着させる。以前段階で、粘着成分１１９が添加されたデザイン層１１０または別途の粘着層１４０が露出された状態なので、デザイン層１１０を身体２００に粘着させることができる。この際、離型層１２０は、ドライトランスファー（ｄｒｙ  ｔｒａｎｓｆｅｒ）方式またはウォータートランスファー（ｗａｔｅｒ  ｔｒａｎｓｆｅｒ）方式で身体２００に転写されうる。
【００５０】
次に、図８Ａないし図８Ｂに示したように、転写可能な美容部材１００から離型層１２０を除去する。以前段階で、デザイン層１１０が、既に身体２００に粘着されたので、離型層１２０をデザイン層１１０から分離すれば、最終的にデザイン層１１０が露出されながら、転写が完了する。この際、デザイン層１１０と離型層１２０との間には、転写誘導剤１７０がコーティングされるか、デザイン層１１０に転写誘導剤１７０が添加されたので、デザイン層１１０が離型層１２０から分離されやすくなって、効果的に身体に転写させることができる。
【００５１】
本発明は、理解を助けるために、アイラインまたはアイシャドウを転写する過程を基準に図示したが、権利範囲が、これに限定されるものではなく、身体２００のうち如何なる部分にも転写されうる。例えば、デザイン層１１０は、身体２００のうち、目、唇、指爪または足爪を含む皮膚に転写されうる。それ以外にも、デザイン層１１０は、ビンディ（Ｂｉｎｄｉ）またはいれずみなどにも転写されうる。
【００５２】
一方、図９は、本発明の他の実施形態の転写可能な美容部材の断面図である。図９に示したように、本発明の他の実施形態の転写可能な美容部材３００は、前述した実施形態の転写可能な美容部材１００と比較すると、追加文様層３１０がさらに備えられる。ここで、追加文様層３１０は、離型層１２０に印刷されて形成されうる。この際、追加文様層３１０は、デザイン層１１０と互いに対応する文様が示される。このような追加文様層３１０は、前述した第１文様層１１５と第２文様層１１７と類似した役割を行う。具体的に、離型層１２０が、不透明な材質で形成された場合、デザイン層１１０を第１、２文様層１１５、１１７に構成しても、転写時にユーザが文様を認知しにくいことがある。したがって、離型層１２０の露出面に追加文様層３１０を形成することによって、転写時にユーザは、追加文様層３１０の文様を認知し、これは、転写後に他人に見えるデザイン層１１０の文様と一致する。結局、追加文様層３１０を形成することによって、転写時にユーザが認知する文様と、転写後に他人に見える文様とが異なることを防止することができる。
【００５３】
以上、本発明を具体的な実施形態を通じて詳しく説明したが、これは、本発明を具体的に説明するためのものであって、本発明は、これに限定されず、本発明の技術的思想内で当業者によって、その変形や改良が可能であるということが明白である。
【００５４】
本発明の単純な変形ないし変更は、いずれも本発明の領域に属するものであって、本発明の具体的な保護範囲は、添付の特許請求の範囲によって明確になる。
【産業上の利用可能性】
【００５５】
本発明は、転写可能な美容部材関連の分野に適用可能である。
【符号の説明】
【００５６】
１００、３００：転写可能な美容部材
１１０：デザイン層
１１３：ベース層
１１５：第１文様層
１１７：第２文様層
１１９：粘着成分
１２０：離型層
１２０ａ：離型層の一端
１２０ｂ：離型層の他端
１２０ｃ：取っ手
１３０：保護フィルム
１４０：粘着層
１５０：光反射性粒子
１６０：切り取り線
１７０：転写誘導剤
１７５：合成樹脂粒子
１８０：弾性層
２００：身体
３１０：追加文様層
【図１】
2015029907.tif 000003
【図２】
2015029907.tif 000004
【図３】
2015029907.tif 000005
【図４Ａ】
2015029907.tif 000006
【図４Ｂ】
2015029907.tif 000007
【図４Ｃ】
2015029907.tif 000008
【図５】
2015029907.tif 000009
【図６Ａ】
2015029907.tif 000010
【図６Ｂ】
2015029907.tif 000011
【図７Ａ】
2015029907.tif 000012
【図７Ｂ】
2015029907.tif 000013
【図８Ａ】
2015029907.tif 000014
【図８Ｂ】
2015029907.tif 000015
【図９】
2015029907.tif 000016